(57)【特許請求の範囲】
【請求項１】
光源が取付けられた器具本体を被取付部に取付ける照明器具であって、
前記器具本体の下方に設けられた、前記光源からの照射光の一部を下方へ透過させるとともに、反射光を前記被取付部に照射する半反射材を有し、
前記器具本体には支持部材が取り付けられており、
前記支持部材には下方に伸びる支持ポストが取り付けられており、
前記支持ポストの下端部に前記半反射材が取り付けられており、
前記半反射部材は、前記器具本体の中心に近い側の端部よりも、遠い側の端部の方が、より下方に位置するように傾斜しており、
前記半反射材は、反射面に微細な凹凸を有し、
前記支持ポストは、前記光源から斜め下方に出射された光の一部を、前記傾斜している前記半反射部材の上方を通過させて前記半反射部材の下側に直接光として導出する空間が前記器具本体の下側に形成される長さを有することを特徴とする照明器具。
【請求項２】
前記半反射材が、ポリカーボネート製であることを特徴とする請求項１記載の照明器具。
【請求項３】
前記半反射材を透過した透過光が入射する半透過材を有することを特徴とする請求項１または請求項２に記載の照明器具。
【請求項４】
前記光源からの直接光が通過する透光部を、前記光源の真下位置に有することを特徴とする請求項１ないし請求項３のいずれかに記載の照明器具。
【発明の詳細な説明】
【技術分野】
【０００１】
本発明は、天井等の被取付部に取付けて、前方および被取付部を照らすことができる照明器具に関するものである。
【背景技術】
【０００２】
図６に示すように、従来の天井１０１に取付ける照明器具１００では、器具本体１０２が天井１０１に取付けられており、器具本体１０２の内部には、光源である直管型の蛍光ランプ１０３が取付けられている。器具本体１０２内部における蛍光ランプ１０３の後方（上方）には反射板１０４が取付けられており、蛍光ランプ１０３から発せられた光を前方（下方）へ反射している。また、器具本体１０２内部における蛍光ランプ１０３の前方には、格子状のルーバー１０５が設けられており、照明器具１００の前方における蛍光ランプ１０３の眩しさを低減している（例えば特許文献１参照）。
【特許文献１】特開平３−２２３０４公報（第１図）
【発明の開示】
【発明が解決しようとする課題】
【０００３】
しかしながら、前述したような従来の照明器具１００においては、照明器具１００の真下においては照度が高いが、天井１０１には照明光が照射されず暗いため、照明器具１００によって照らす部屋等の照明空間が、全体として暗い感じがする、すなわち「Ｆｅｕ値」が低いという問題があった。なお、ここで、「Ｆｅｕ値」とは、照明空間を観察したときに、当該空間に対して感じられる明るさの総合評価である明るさ感覚指標の単位であり、この明るさ感覚指標は、照明認識視空間の概念における色モード境界輝度に基づいて算出され、この値が大きいほど照明空間の明るさ感が高くなり、明るく感じられる。
【０００４】
本発明は、従来の問題を解決するためになされたもので、照明器具によって照らす照明空間を、全体として明るい感じがするように照明光を照射することのできる照明器具を提供することを目的とする。
【課題を解決するための手段】
【０００５】
本発明の照明器具は、光源が取付けられた器具本体を被取付部に取付ける照明器具であって、前記器具本体の下方に設けられた、前記光源からの照射光の一部を下方へ透過させるとともに、反射光を前記被取付部に照射する半反射材を有し、前記器具本体には支持部材が取り付けられており、前記支持部材には下方に伸びる支持ポストが取り付けられており、前記支持ポストの下端部に前記半反射材が取り付けられており、前記半反射部材は、前記器具本体の中心に近い側の端部よりも、遠い側の端部の方が、より下方に位置するように傾斜しており、前記半反射材は、反射面に微細な凹凸を有し、前記支持ポストは、前記光源から斜め下方に出射された光の一部を、前記傾斜している前記半反射部材の上方を通過させて前記半反射部材の下側に直接光として導出する空間が前記器具本体の下側に形成される長さを有する構成を有している。
【０００６】
この構成により、器具本体の前方に設けた半反射材が、光源から発せられる光の一部を透過させるとともに、一部を反射させて被取付部を照らすので、照明器具によって照らされる照明空間の明るさ感が高くなり、Ｆｕｅ値を向上させることができる。また、これに伴い、徒に光源を明るくするのを防止して、省エネを図ることができる。
また、この構成により、照射光の一部は、半反射材の反射面に設けられた凹凸によって乱反射されて被取付部を照らすことになる。
【０００７】
また、本発明の照明器具は、前記半反射材が、ポリカーボネート製である構成を有している。
【０００８】
この構成により、ポリカーボネートを用いることにより、軽量で丈夫な半反射材を作製することができる。
【００１１】
また、本発明の照明器具は、前記半反射材を透過した透過光が入射する半透過材を有する構成を有している。
【００１２】
この構成により、半反射材を透過した一部の照射光は、半透過材を透過して照射されることとなる。
【００１３】
さらに、本発明の照明器具は、前記光源からの直接光が通過する透光部を、前記光源の真下位置に有する構成を有している。
【００１４】
この構成により、照明器具の正面前方は、光源により直接照射されるので、明るく照らすことができる。
【発明の効果】
【００１５】
本発明は、器具本体の前方に設けた半反射材が、光源から発せられる光の一部を透過させるとともに、一部を反射させて被取付部を照らすので、照明器具によって照らされる照明空間の明るさ感が高くなり、Ｆｕｅ値を向上させることができる。また、これに伴い、徒に光源を明るくするのを防止して、省エネを図ることができるという効果を有する照明器具を提供することができるものである。
【発明を実施するための最良の形態】
【００１６】
以下、本発明の第１実施形態にかかる照明器具について、図面を用いて説明する。
図１（Ａ）は本発明の第１実施形態にかかる照明器具の全体斜視図、（Ｂ）は端部の拡大斜視図、図２は照明器具の端面図および断面図、図３（Ａ）および（Ｂ）は半透過材の例を示す斜視図および平面図である。
【００１７】
図１および図２に示すように、本発明の照明器具１０では、光源である直管型の蛍光ランプ１２が取付けられた器具本体２０が、被取付面である天井１１に設けられている取付用開口部１１ａに取付けられている。そして、器具本体２０の前方（ここでは下方）に半反射材３０を設けて、蛍光ランプ１２からの照射光を前方へ透過させるとともに、半反射材３０の反射光を天井１１に照射する。
【００１８】
器具本体２０は下方に開口部２０ａを有する矩形箱状の部材であり、器具本体２０の内部には、内部空間を蛍光ランプ１２の長手方向と直交する方向に横切るルーバー２６が、蛍光ランプ１２の長手方向に所定間隔で取り付けられている。器具本体２０下端部には矩形の枠体２５が取付けられている。枠体２５の、器具本体２０の長手方向両端部に対応する部分には、支持部材２２が取付けられており、支持部材２２には、支持ポスト２４が吊下げられている。支持ポスト２４の下端部には半反射材３０が取付けられている。また、器具本体２０の上には、点灯回路等の電気部品２３が取付けられている。
【００１９】
半反射材３０は、器具本体２０の開口部２０ｂの下方に支持ポスト２４により吊下げられており、蛍光ランプ２１の長手方向に沿って１対設けられている。１対の半反射材３０の間には、蛍光ランプ２１の真下位置に、蛍光ランプ２１からの直接光が通過する透光部である空間２７が設けられている。これにより、照明器具１０の正面前方は、蛍光ランプ２１によって直接照射されるので、明るく照らすことができる。
【００２０】
半反射材３０は蛍光ランプ２１からの照射光の一部を反射するとともに、一部を透過させるものである。半反射部材３０は、鉛直方向の縦板３１と、縦板３１の下端部から水平に設けられている半透過材３２とともに三角筒形状を形成している。半反射材３０は、縦板３１の上端部と、半透過材３２の外側端とを結んで設けられており、外向きに傾斜している。従って、半反射板３０に照射された蛍光ランプ２１の照射光は、一部は下方へ透過して下方を照らすとともに、一部は外向き上方に反射され、天井１１を照らす。
【００２１】
支持ポスト２４の下端部は、半反射材３０に設けられている切欠き３０ａを貫通して、縦板３１に取付けられている取付金具３３に、ナット３３ａにより取付けられている。なお、半反射材３０の両端部にはエンドプレート３４が取付けられており、半反射材３０の内部が見えないように覆っている。
【００２２】
半反射材３０は、ポリカーボネートを用いて形成するのが望ましい。これにより、軽量で丈夫な半反射材３０を作製することができる。
また、半反射材３０の反射面３０ｂには、微細な凹凸を設けるのが望ましい。例えば、微細な凹凸が形成されたポリカーボネート製の半反射シート３０ｃを、支持部材３０ｄに貼り付けることにより、半反射材３０を形成することができる。これにより、蛍光ランプ２１からの照射光の一部は、半反射材３０の反射面３０ｂに設けられた凹凸によって乱反射されて被取付部である天井１１をやさしく照らすことができる。
【００２３】
半透過材３２は、半反射材３０を透過してきた蛍光ランプ２１の照射光の一部である透過光が入射し、透過光の一部を透過させる部材である。
例えば、図３（Ａ）に示すように、一方の面に、頂角θ（例えばθ＝９０°）の山形３２ａを全面に平行に設けて、半透過材３２Ａを形成することができる。あるいは、図３（Ｂ）に示すように、白色塗装板や鏡面板等の光を反射する部材に、前面にわたって円形や正多角形等の開口３２ｂを設けて、パンチングメタルのような半透過材３２Ｂを形成することができる。
【００２４】
以上、説明した本発明にかかる照明器具１０によれば、器具本体２０の前方に設けた半反射材３０が、蛍光ランプ２１から発せられる光の一部を下方へ透過させて下方を照らすとともに、一部を反射させて天井１１を照らすので、照明器具１０によって照らされる照明空間の明るさ感が高くなり、Ｆｕｅ値を向上させることができる。また、これに伴い、徒に蛍光ランプ２１を明るくするのを防止して、省エネを図ることができる。
【００２５】
次に、本発明の第２実施形態を図面に基づいて説明する。
図４は第２実施形態にかかる照明器具の端面図および断面図である。なお、前述した第１実施形態にかかる照明器具１０と共通する部位には同じ符号を付して、重複する説明を省略することとする。
【００２６】
図４に示すように、本発明の第２実施形態にかかる照明器具１０Ｂでは、支持ポスト２４によって、器具本体２０の真下に、上に凸の三角柱断面を有する半透明樹脂からなる半透過材３２Ｂを取付け、１対の斜面に半反射シート３０ｃを貼り付けて半反射材３０Ｂが形成されている。
【００２７】
従って、蛍光ランプ２１から発せられた照射光は、半反射シート３０ｃによって一部が外側上方へ反射されて天井１１を照らす。また、一部は半反射シート３０ｃを透過し、半透過材３２Ｂを透過して下方を照らす。
【００２８】
以上、説明した第２実施形態にかかる照明器具１０Ｂによれば、前述した第１実施形態にかかる照明器具１０と同様に、蛍光ランプ２１の照射光の一部を反射させて天井１１を照らすので、照明器具１０Ｂによって照らされる照明空間の明るさ感が高くなり、Ｆｕｅ値を向上させることができる。
【００２９】
次に、本発明の第３実施形態を図面に基づいて説明する。
図５は第３実施形態にかかる照明器具の端面図および断面図である。なお、前述した第１および第２実施形態にかかる照明器具１０、１０Ｂと共通する部位には同じ符号を付して、重複する説明を省略することとする。
【００３０】
図５に示すように、本発明の第３実施形態にかかる照明器具１０Ｃでは、支持ポスト２４によって、器具本体２０の真下に、下に凸の三角柱断面を有する半透明樹脂からなる半透過材３２Ｃを取付け、平面状の上面に半反射シート３０ｃを貼り付けて半反射材３０Ｃが形成されている。
【００３１】
従って、蛍光ランプ２１から発せられた照射光は、半反射シート３０ｃによって一部が上方に向けて反射されて天井１１を照らす。また、照射光の一部は半反射シート３０ｃを透過し、半透過材３２Ｂを透過して１対の傾斜面３２ｃ、３２ｃから外向き下方へ抜けて下方を照らす。
【００３２】
以上、説明した第３実施形態にかかる照明器具１０Ｃによれば、前述した第１実施形態にかかる照明器具１０と同様に、蛍光ランプ２１の照射光の一部を反射させて天井１１を照らすので、照明器具１０Ｃによって照らされる照明空間の明るさ感が高くなり、Ｆｕｅ値を向上させることができる。
【００３３】
なお、本発明の照明器具は、前述した各実施形態に限定されるものでなく、適宜な変形，改良等が可能である。
【図面の簡単な説明】
【００３４】
【図１】（Ａ）は本発明の第１実施形態にかかる照明器具の全体斜視図、（Ｂ）は端部の拡大斜視図
【図２】照明器具の端面図および断面図
【図３】（Ａ）および（Ｂ）は半透過材の例を示す斜視図および平面図
【図４】第２実施形態にかかる照明器具の端面図および断面図
【図５】第３実施形態にかかる照明器具の端面図および断面図
【図６】従来の照明器具の断面図
【符号の説明】
【００３５】
１０  照明器具
１１  天井（被取付面）
２０  器具本体
２１  蛍光ランプ（光源）
２７  空間（透光部）
３０  半反射材
３２  半透過材
【図１】
0005536989.tif 000002
【図２】
0005536989.tif 000003
【図３】
0005536989.tif 000004
【図４】
0005536989.tif 000005
【図５】
0005536989.tif 000006
【図６】
0005536989.tif 000007